(57)【要約】      （修正有）【課題】使用安全性と使用上の知的化を向上し、構造が簡単で、設計は合理的で、実用性の高いスマートトイレを提供する。【解決手段】スマートトイレは、便器、便座後部、便座、便蓋、燻蒸消毒機能を有する蒸気発生機構、自動開閉機構、主制御回路基板８００を含む。蒸気発生機構は、蒸気発生器４００、レーダーセンサ５００を含む。蒸気発生器は、スライドレール機構６００によって便器内に設けられ、蒸気発生器には、給水口、発熱体を洗浄する排水口が設けられる。自動開閉機構は、便座開モータ、便蓋開モータ、便座開センサ、便蓋開センサを含む。スマートトイレは、蒸気で便器及び便座を高温消毒殺菌洗浄して、洗浄度を向上させ、同時に、レーダーセンサが、６ｍ以内で人が動いているか否かを検出して、主制御回路基板は、検出した信号に基づき、蒸気発生器を作動して、高温蒸気による身体の火傷を防止する。【選択図】図３
0003224802.tif 000002
【実用新案登録請求の範囲】
【請求項１】
便器、便座後部、回転軸によって前記便座後部にヒンジ接続する便座及び便蓋を含む使用が安全なスマートトイレであって、
前記便器内に設けられ、前記便器に燻蒸消毒機能を有する水蒸気をスプレーする蒸気発生機構と、前記便座後部内に設けられ、前記便座及び前記便蓋を駆動して自動で開ける自動開閉機構と、前記便座後部内に設けられ、前記蒸気発生機構及び前記自動開閉機構の作動を制御する主制御回路基板と、を更に含み、
前記蒸気発生機構は、蒸気発生器、前記主制御回路基板と接続するレーダーセンサを含み、
前記蒸気発生器は、スライドレール機構によって前記便器内に設けられ、前記便器は、前記スライドレール機構の位置に対応する箇所に、前記蒸気発生器がスライドする洗浄孔が設けられ、
前記自動開閉機構は、便座開モータ、便蓋開モータ、前記便蓋内に設けられ、前記主制御回路基板と接続する便座開センサ及び便蓋開センサを含むことを特徴とする使用が安全なスマートトイレ。
【請求項２】
前記蒸気発生器には、ウォーターポンプと接続する給水口、発熱体を洗浄する排水口、蒸気出口が設けられ、
前記蒸気発生器は、ケース、保温ケース、発熱体蓋、発熱体、サーモスタット、排水口蓋を含み、
前記サーモスタットは、前記主制御回路基板と接続していることを特徴とする請求項１に記載の使用が安全なスマートトイレ。
【請求項３】
前記スライドレール機構は、前記便器内に固定するインナーレール、前記インナーレールに固定され、前記インナーレールに沿って左右にスライドするアウターレールを含み、
前記蒸気発生器は、前記アウターレールに固定されることを特徴とする請求項１または２に記載の使用が安全なスマートトイレ。
【請求項４】
前記便蓋には、内部キャビティが設けられ、前記内部キャビティの下端面には、前記便座の位置に対応する箇所に複数の蒸気スプレー孔が設けられ、前記内部キャビティは、導管によって前記蒸気出口と連通していることを特徴とする請求項３に記載の使用が安全なスマートトイレ。
【請求項５】
前記便座開センサ、便蓋開センサは、マイクロ波センサヘッド又は赤外線センサヘッドに設定されることを特徴とする請求項４に記載の使用が安全なスマートトイレ。
【請求項６】
前記便座後部には、前記主制御回路基板と接続する制御パネルが設けられ、前記制御パネルには、複数の制御ボタンと指示ランプが設けられることを特徴とする請求項５に記載の使用が安全なスマートトイレ。
【請求項７】
前記洗浄孔には、洗浄蓋が設けられていることを特徴とする請求項６に記載の使用が安全なスマートトイレ。
【考案の詳細な説明】
【技術分野】
【０００１】
本実用新案は、トイレの技術分野に関し、特に、使用が安全なスマートトイレに関する。
【背景技術】
【０００２】
科学技術の絶え間ない発展及び社会の絶え間ない進歩と共に、人類の生活も日増しに知的化しており、例えば、スマートトイレの誕生があり、先行技術のスマートトイレは、自動洗浄、自動水洗、自動蓋開け等の機能を実現でき、自動洗浄時は、一般的に蒸気を用いてスマートトイレを燻蒸消毒し、スプレーする蒸気は、高温蒸気であり、身体が近づく場合、身体を火傷させて、不要な安全事故が発生し、使用安全性は低い。更に、蒸気を生成する蒸気発生器は、水を長期間加熱するため水垢が発生し、水垢を適時洗浄しない場合、熱交換効率が下がり、エネルギー消費が大きくなるだけではなく、発熱体内が長期間湿った環境となり、細菌を繁殖し、極めて不健康で不潔である。
【０００３】
したがって、上記技術課題を如何にして解決するかは、業界で解決すべき技術課題である。
【考案の概要】
【考案が解決しようとする課題】
【０００４】
本実用新案の主要な目的は、構造設計が合理的で、清潔で衛生であり、使用安全性が高く、加熱効率が高いスマートトイレを実現する、使用が安全なスマートトイレを提供することである。
【課題を解決するための手段】
【０００５】
本実用新案は、使用が安全なスマートトイレを提出しており、便器、便座後部、回転軸によって便座後部にヒンジ接続する便座及び便蓋を含み、便器内に設けられ、便器に燻蒸消毒機能を有する水蒸気をスプレーする蒸気発生機構と、便座後部内に設けられ、便座及び便蓋を駆動して自動で開ける自動開閉機構と、便座後部内に設けられ、蒸気発生機構及び自動開閉機構の作動を制御する主制御回路基板と、を更に含み、蒸気発生機構は、蒸気発生器、主制御回路基板と接続するレーダーセンサを含み、蒸気発生器は、スライドレール機構によって便器内に設けられ、便器は、スライドレール機構の位置に対応する箇所に、蒸気発生器がスライドする洗浄孔が設けられ、自動開閉機構は、便座開モータ、便蓋開モータ、便蓋内に設けられ、主制御回路基板と接続する便座開センサ及び便蓋開センサを含む。
【０００６】
蒸気発生器には、ウォーターポンプと接続する給水口、発熱体を洗浄する排水口、蒸気出口が設けられ、蒸気発生器は、ケース、保温ケース、発熱体蓋、発熱体、サーモスタット、排水口蓋を含み、サーモスタットは、主制御回路基板と接続していることが好ましい。
【０００７】
スライドレール機構は、便器内に固定するインナーレール、インナーレールに固定され、インナーレールに沿って左右にスライドするアウターレールを含み、蒸気発生器は、アウターレールに固定されることが好ましい。
【０００８】
便蓋には、内部キャビティが設けられ、内部キャビティの下端面には、便座の位置に対応する箇所に複数の蒸気スプレー孔が設けられ、内部キャビティは、導管によって蒸気出口と連通していることが好ましい。
【０００９】
便座開センサ、便蓋開センサは、マイクロ波センサヘッド又は赤外線センサヘッドに設定されることが好ましい。
【００１０】
便座後部には、主制御回路基板と接続する制御パネルが設けられ、制御パネルには、複数の制御ボタンと指示ランプが設けられることが好ましい。
【００１１】
洗浄孔には、洗浄蓋が設けられていることが好ましい。
【考案の効果】
【００１２】
実用新案の使用が安全なスマートトイレは、蒸気で便器及び便座を高温消毒殺菌洗浄して、スマートトイレの洗浄度を向上させ、効果的に殺菌し、トイレを洗浄し、病気の発生や伝染を予防し、且つ主制御回路基板上には、レーダーセンサが接続され、蒸気消毒ボタンを押す時、レーダーセンサは作動して６ｍ以内で人が動いているか否か検出し、人が動いていると検出する場合、主制御回路基板は、レーダーセンサが検出した信号に基づき、蒸気発生器を制御して作動を始動させず、生成される高温蒸気によって身体を火傷するのを防止し、身体が検出範囲を離れる時、主制御回路基板は、蒸気発生器を制御して作動させて、スマートトイレを燻蒸消毒し、蒸気発生器が作動中で、便器及び便座の燻蒸消毒時に、レーダーセンサが反応する範囲内に身体が入る場合、主制御回路基板は、レーダーセンサが検出した信号に基づき、蒸気発生器を制御して作動を停止し、蒸気のスプレーを停止して、スマートトイレの使用安全性と使用上の知的化を効果的に向上し、構造は簡単で、設計は合理的である。また、蒸気発生器は、スライドレール機構によって便器内からスライドさせて、洗浄し易くし、蒸気発生器には、ウォーターポンプと接続する給水口及び発熱体を洗浄する排水口が設けられ、排水口によって発熱体をブラッシングし、ウォーターポンプによって発熱体内の汚れをスプレー、水洗して、水垢は排水口から排出され、垢を適時落とし、加熱効率を向上し、蒸気発生器を長期間清潔で衛生に保ち、スマートトイレの衛生状況を更に向上させる。
【図面の簡単な説明】
【００１３】
【図１】本実用新案の使用が安全なスマートトイレの実施形態の立体構造概略図１であり、スマートトイレは便蓋を閉じた状態である。
【図２】本実用新案の使用が安全なスマートトイレの実施形態の立体構造概略図２であり、スマートトイレは便蓋を開いた状態である。
【図３】本実用新案の使用が安全なスマートトイレの実施形態の立体構造概略図３であり、スマートトイレは便蓋を開いた状態であり、レーダーセンサ及び主制御回路基板を示す。
【図４】本実用新案の使用が安全なスマートトイレの実施形態の蒸気発生器の立体構造拡大概略図である。
【図５】本実用新案の使用が安全なスマートトイレの実施形態の蒸気発生器の分解構造拡大概略図である。
【００１４】
本実用新案の目的の実現、機能特徴及び利点は、実施形態を結合し、図面を参照して更に説明する。
【考案を実施するための形態】
【００１５】
ここで記述する具体的な実施形態は、本実用新案を説明するためだけのものであり、本実用新案を限定するためのものではないことを理解しなければならない。
【００１６】
図１〜図５を参照すると、本実用新案の使用が安全なスマートトイレの実施形態を提出しており、便器１００、便座後部１０２、回転軸によって便座後部１０２上にヒンジ接続する便座２００及び便蓋３００を含み、蒸気発生機構、自動開閉機構を更に含み、蒸気発生機構は、便器１００内に設けられ、便器１００に燻蒸消毒機能を有する水蒸気をスプレーし、自動開閉機構は、便座後部１０２内に設けられ、便座２００及び便蓋３００を駆動して自動で開ける。スマートトイレは、便座後部１０２内に設けられ、蒸気発生機構及び自動開閉機構の作動を制御する主制御回路基板８００を更に備える。
【００１７】
蒸気発生機構は、蒸気発生器４００を含み、蒸気発生器４００には、ウォーターポンプと接続する給水口４０１、発熱体４０６を洗浄する排水口、蒸気出口４０２が設けられ、排水口には、排水口蓋４０８が設けられる。蒸気発生器４００は、ケース４０３、保温ケース４０４、発熱体蓋４０５、発熱体４０６、サーモスタット４０７を含み、サーモスタット４０７は、主制御回路基板８００と接続している。便蓋３００には、内部キャビティが設けられ、内部キャビティの下端面には、便座２００の位置に対応する箇所に複数の蒸気スプレー孔３０１が設けられ、内部キャビティは、導管によって蒸気出口４０２と連通している。
【００１８】
蒸気発生機構が作動する時、ウォーターポンプは、水を蒸気発生器４００内に揚水して、発熱体４０６が作動して水を加熱して蒸気に変換し、蒸気は、導管を通って便蓋３００の内部キャビティに入り、高温高圧の蒸気は、蒸気スプレー孔３０１から便器１００、便座２００にスプレーし、燻蒸消毒、洗浄殺菌の目的を達成し、同時に、発熱体４０６内には、主制御回路基板８００と接続されるサーモスタット４０７が設けられ、サーモスタット４０７は、発熱体４０６の最高温度を設定範囲内に制御して、蒸気の温度が高すぎて蒸気発生器４００または便座２００を壊すのを回避し、また、スマート温度制御の乾燥加熱防止を同時に達成する効果、即ち、乾燥加熱して、発熱体４０６の温度が高すぎて、サーモスタット４０７が検出した温度値が設定の範囲を超える場合、主制御回路基板８００に信号を送信し、主制御回路基板８００は受信した信号を分析した後、発熱体４０６を制御して電源を切って作動を停止して、蒸気発生器４００が長期間正常に作動することを確保し、高温破壊を防止し、その使用寿命を延ばす。
【００１９】
蒸気発生機構は、主制御回路基板８００と接続するレーダーセンサ５００を更に含み、レーダーセンサ５００によってスマートトイレの一定の範囲内に人がいるかいないか検出でき、主制御回路基板８００に検出信号を送信して、主制御回路基板８００は、レーダーセンサ５００が検出した信号に基づき、蒸気発生器４００の作動を制御して、スマートトイレの使用安全性を向上させる。蒸気発生機構を始動する時、レーダーセンサ５００は作動して６ｍ以内で人が動いているか否か検出し、人が動いていると検出する場合、主制御回路基板８００は、レーダーセンサ５００が検出した信号に基づき、蒸気発生器４００を制御して作動を始動させず、生成される高温蒸気によって身体を火傷するのを防止し、身体が検出範囲を離れる時、主制御回路基板８００は、蒸気発生器４００を制御して作動させて、スマートトイレを燻蒸消毒し、蒸気発生器４００が作動中で、便器１００及び便座２００の燻蒸消毒時に、レーダーセンサ５００が反応する範囲内に身体が入る場合、主制御回路基板８００は、レーダーセンサ５００が検出した信号に基づき、蒸気発生器４００を制御して作動を停止し、蒸気のスプレーを停止して、スマートトイレの使用安全性と使用上の知的化を効果的に向上し、児童が誤って便器１００の傍に来て高温蒸気で火傷するのを防ぎ、構造は簡単で、設計は合理的で、実用性は高い。
【００２０】
本実用新案の蒸気発生器４００は、スライドレール機構６００によって便器１００内に設けられ、便器１００は、スライドレール機構６００の位置に対応する箇所に、蒸気発生器４００がスライドする洗浄孔１０１が設けられ、洗浄孔１０１には洗浄蓋１０３が設けられ、洗浄蓋１０３は、遮断効果を有し、埃汚れが洗浄孔１０１から便器１００内に入るのを回避する。スライドレール機構６００は、便器１００内に固定するインナーレール、インナーレールに固定され、インナーレールに沿って左右にスライドするアウターレールを含み、蒸気発生器４００は、アウターレールに固定され、アウターレールとインナーレールは、相対的にスライドして、蒸気発生器４００を便器１００内から便器１００外にスライドさせて、蒸気発生器４００が洗浄作業を行い易くする。洗浄操作時、洗浄蓋１０３を取って、洗浄孔１０１によって蒸気発生器４００を便器１００内からスライドさせて引き出し、排水蓋を旋回して、排水孔から洗浄ブラシに伸びて、発熱体４０６をブラッシングして、ブラッシング完了後、ウォーターポンプによって蒸気発生器４００内の水垢汚れを排水口から水洗し、最後に水垢汚れを排出して、排水蓋を被せて、蒸気発生器４００を便器１００内にスムーズに入れて、洗浄蓋１０３を覆って完了する。スライドレール機構６００によって、随時便器１００内の蒸気発生器４００を洗浄メンテナンスを行うことができ、操作は便利で、洗浄は適時で、徹底的に水垢汚れを洗浄でき、発熱体４０６を清潔で衛生で汚れていないことを確保し、加熱効率と熱交換効率を向上し、エネルギー消費を低減し、省エネで環境保護である。
【００２１】
自動開閉機構は、便座開モータ、便蓋開モータ、便蓋３００内に設けられ、主制御回路基板８００と接続する便座開センサ７０１及び便蓋開センサ７０２を含む。便座開モータによって便座２００にヒンジ接続されている回転軸を駆動して回転させて、便座の自動開閉操作を実現し、便蓋開モータによって便蓋３００にヒンジ接続されている回転軸を駆動して回転させて、便蓋の自動開閉操作を実現し、構造は簡単で、操作は便利である。本実用新案の便座開センサ７０１、便蓋開センサ７０２は、マイクロ波センサヘッド又は赤外線センサヘッドに設定され、本実施形態は、赤外線センサヘッドを採用して、便座、便蓋を開くのを制御する赤外線センサヘッドは、便蓋３００に取り付けられ、身体が対応する赤外線センサヘッド上で手を振って操作するとき、赤外線センサヘッドは、受信した手振り信号を主制御回路基板８００に送信し、主制御回路基板８００によって便座開モータ及び便蓋開モータの作動を制御して、便蓋の自動開閉操作を実現し、構造は簡単で、使用は便利で、自動化の程度は高く、実用性は高い。
【００２２】
本実施形態において、便座後部１０２には、主制御回路基板８００と接続する制御パネルが設けられ、制御パネルには、複数の制御ボタンと指示ランプが設けられ、制御ボタンによってスマートトイレの作動を制御できる。
【００２３】
以上より、本実用新案の使用が安全なスマートトイレは、蒸気で便器１００及び便座２００を高温消毒殺菌洗浄して、スマートトイレの洗浄度を向上させ、効果的に殺菌し、トイレを洗浄し、病気の発生や伝染を予防し、且つ主制御回路基板８００上には、レーダーセンサ５００が接続され、蒸気消毒ボタンを押す時、レーダーセンサ５００は作動して６ｍ以内で人が動いているか否か検出し、人が動いていると検出する場合、主制御回路基板８００は、レーダーセンサ５００が検出した信号に基づき、蒸気発生器４００を制御して作動を始動させず、生成される高温蒸気によって身体を火傷するのを防止し、身体が検出範囲を離れる時、主制御回路基板８００は、蒸気発生器４００を制御して作動させて、スマートトイレを燻蒸消毒し、蒸気発生器４００が作動中で、トイレの燻蒸消毒時に、レーダーセンサ５００が反応する範囲内に身体が入る場合、主制御回路基板８００は、レーダーセンサ５００が検出した信号に基づき、蒸気発生器４００を制御して作動を停止し、蒸気のスプレーを停止して、スマートトイレの使用安全性と使用上の知的化を効果的に向上し、構造は簡単で、設計は合理的である。また、蒸気発生器４００は、スライドレール機構６００によって便器１００内から便器１００外にスライドさせて、洗浄し易くし、蒸気発生器４００には、ウォーターポンプと接続する給水口４０１及び発熱体４０６を洗浄する排水口が設けられ、排水口によって発熱体をブラッシングし、ウォーターポンプによって発熱体内の汚れをスプレー、水洗して、水垢は排水口から排出され、垢を適時落とし、加熱効率と熱交換効率を向上し、蒸気発生器４００を長期間清潔で衛生に保ち、スマートトイレの衛生状況を間接的に向上させる。したがって、本実用新案は、構造設計は合理的で、清潔で衛生で、使用安全性が高く、加熱効率が高いスマートトイレを実現し、幅広い市場の見通しを有する。
【００２４】
以上の記述は、本実用新案の好ましい実施形態にすぎず、本実用新案の範囲を限定するものではなく、本実用新案の明細書及び図面の内容によって行った同等の構造の変換、その他の関連する技術分野に直接又は間接的に用いることは、すべて同じ理由で、本実用新案の保護範囲に含まれる。
【符号の説明】
【００２５】
１００：便器
１０１：洗浄孔
１０２：便座後部
１０３：洗浄蓋
２００：便座
３００：便蓋
３０１：蒸気スプレー孔
４００：蒸気発生器
４０１：給水口
４０２：蒸気出口
４０３：ケース
４０４：保温ケース
４０５：発熱体蓋
４０６：発熱体
４０７：サーモスタット
４０８：排水口蓋
５００：レーダーセンサ
６００：スライドレール機構
７０１：便座開センサ
７０２：便蓋開センサ
８００：主制御回路基板
【図１】
0003224802.tif 000003
【図２】
0003224802.tif 000004
【図３】
0003224802.tif 000005
【図４】
0003224802.tif 000006
【図５】
0003224802.tif 000007
【手続補正書】
【提出日】令和1年11月12日(2019.11.12)
【手続補正１】
【補正対象書類名】実用新案登録請求の範囲
【補正対象項目名】請求項４
【補正方法】変更
【補正の内容】
【請求項４】
前記便蓋には、内部キャビティが設けられ、前記内部キャビティの下端面には、前記便座の位置に対応する箇所に複数の蒸気スプレー孔が設けられ、前記内部キャビティは、導管によって蒸気出口と連通していることを特徴とする請求項３に記載の使用が安全なスマートトイレ。